(57)【要約】【課題】嵌合部の小型化を図る。【解決手段】本開示におけるコネクタは、相手側コネクタと嵌合するコネクタであって、少なくとも１つの端子と、ハウジングと、リテーナ９０と、を備え、ハウジングは、少なくとも１つの嵌合部７２と、露出部８０とを有しており、嵌合部７２は、相手側コネクタの内部に嵌合可能とされ、嵌合部７２には、端子を収容する端子収容部が形成されており、露出部８０は、相手側コネクタから露出するようになっており、リテーナ９０は、被係止部と、係止突部９４とを有しており、被係止部は、露出部８０に組み付けられ、露出部８０に設けられた係止部と係止することによってリテーナ９０をハウジングに固定し、係止突部９４は、端子収容部内に突出するように嵌合部７２に組み付けられ、端子を端子収容部内に抜け止めする。【選択図】図１１
2020167156.tif 000002
【特許請求の範囲】
【請求項１】
相手側コネクタと嵌合するコネクタであって、
少なくとも１つの端子と、ハウジングと、リテーナと、を備え、
前記ハウジングは、少なくとも１つの嵌合部と、露出部とを有しており、
前記嵌合部は、前記相手側コネクタの内部に嵌合可能とされ、
前記嵌合部には、前記端子を収容する端子収容部が形成されており、
前記露出部は、前記嵌合部が前記相手側コネクタと嵌合した際に、前記相手側コネクタから露出するようになっており、
前記リテーナは、被係止部と、係止突部とを有しており、
前記被係止部は、前記露出部に組み付けられ、前記露出部に設けられた係止部と係止することによって前記リテーナを前記ハウジングに固定し、
前記係止突部は、前記リテーナが前記ハウジングに固定された際には、前記端子収容部内に突出するように前記嵌合部に組み付けられ、前記端子を前記端子収容部内に抜け止めするコネクタ。
【請求項２】
前記リテーナは、前記端子が前記端子収容部内に進入することを許容する仮係止位置と、前記端子が前記端子収容部内に抜け止めされる本係止位置と、の間を移動可能とされ、
前記リテーナは、前記被係止部を有する被係止片と、前記係止突部を有する係止部本体と、を備えて構成され、
前記リテーナは、前記仮係止位置にあるときに前記係止突部が前記端子収容部から離間する方向に前記係止部本体が傾くことを抑制する傾き抑制部を有する、請求項１に記載のコネクタ。
【請求項３】
少なくとも１つの請求項１または請求項２に記載のコネクタと、前記相手側コネクタとを備えたコネクタ装置であって、
前記相手側コネクタは、相手側ハウジングを備え、
前記相手側ハウジングは、前記嵌合部が内部に嵌合される収容部を有しており、
前記収容部は、前記嵌合部を囲む複数の壁部を有しており、
前記被係止部は、前記嵌合部と前記収容部とが嵌合した際に、前記複数の壁部のうちの一の前記壁部と嵌合方向に並んで配置されるコネクタ装置。
【請求項４】
前記コネクタを複数有しており、
前記収容部には、前記嵌合部が複数並んで嵌合される複数のキャビティが横並びに形成されており、
隣り合う前記キャビティの間には、隣り合う前記嵌合部の間を仕切る隔壁が形成されており、
隣り合う前記ハウジングにおける前記被係止部は、横方向に隣り合って配置されており、
隣り合う前記被係止部は、前記隔壁と嵌合方向に並んで配置されている請求項３に記載のコネクタ装置。
【請求項５】
前記嵌合部には、嵌合方向に延びる姿勢規制部が突出して形成されており、
前記隔壁には、隣り合う前記嵌合部の前記姿勢規制部がそれぞれ収容される複数の受部が凹んで形成されており、
前記隔壁におけるそれぞれの前記受部は、嵌合方向と交差する方向にずれて配置されている請求項４に記載のコネクタ装置。
【発明の詳細な説明】
【技術分野】
【０００１】
本開示は、コネクタおよびコネクタ装置に関する。
【背景技術】
【０００２】
例えば、相手側コネクタと嵌合可能なコネクタとして、特開２０１８−１４３００号公報（下記特許文献１）に記載のものが知られている。このコネクタは、メス端子と、メスハウジングとを備えている。メスハウジングは、相手側コネクタの嵌合凹部に嵌合する嵌合部を有している。嵌合部は、メス端子が収容される端子収容室と、端子収容室に収容されたメス端子を係止するリテーナとを有している。
【０００３】
リテーナは、一対の側板と、一対の側板の間に設けられた係止ブロックとを有している。一対の側板は、端子収容室の外側壁に設けられた本係止突起と係止可能な係止部を有している。リテーナは、係止部と本係止突起とが係止することにより端子収容室に装着される。係止ブロックは、リテーナが端子収容室に装着されると、端子収容室におけるメス端子の後方に配置され、メス端子を端子収容室内に抜け止めする。
【先行技術文献】
【特許文献】
【０００４】
【特許文献１】特開２０１８−１４３００号公報
【発明の概要】
【発明が解決しようとする課題】
【０００５】
ところで、上記のコネクタは、端子収容室にリテーナを装着するために、本係止突起と係止部との係止代を確保する必要がある。しかしながら、本係止突起と係止部との係止代を確保すると、嵌合部が幅方向に大きくなり、この結果、相手側コネクタも大型化してしまう。
【０００６】
本明細書では、嵌合部の小型化を図る技術を開示する。
【課題を解決するための手段】
【０００７】
本開示のコネクタは、相手側コネクタと嵌合するコネクタであって、少なくとも１つの端子と、ハウジングと、リテーナと、を備え、前記ハウジングは、少なくとも１つの嵌合部と、露出部とを有しており、前記嵌合部は、前記相手側コネクタの内部に嵌合可能とされ、前記嵌合部には、前記端子を収容する端子収容部が形成されており、前記露出部は、前記嵌合部が前記相手側コネクタと嵌合した際に、前記相手側コネクタから露出するようになっており、前記リテーナは、被係止部と、係止突部とを有しており、前記被係止部は、前記露出部に組み付けられ、前記露出部に設けられた係止部と係止することによって前記リテーナを前記ハウジングに固定し、前記係止突部は、前記リテーナが前記ハウジングに固定された際には、前記端子収容部内に突出するように前記嵌合部に組み付けられ、前記端子を前記端子収容部内に抜け止めする。
【発明の効果】
【０００８】
本開示によれば、嵌合部の小型化を図ることができる。
【図面の簡単な説明】
【０００９】
【図１】図１は、実施形態１にかかる１組の電線側コネクタと基板用コネクタとの嵌合状態を示す斜視図である。
【図２】図２は、１組の電線側コネクタと基板用コネクタとの嵌合前の状態を示す側面図である。
【図３】図３は、基板用コネクタの斜視図である。
【図４】図４は、基板用コネクタの正面図である。
【図５】図５は、１組の電線側コネクタの斜視図である。
【図６】図６は、１組の電線側コネクタの正面図である。
【図７】図７は、図６のＢ−Ｂ線断面図である。
【図８】図８は、電線側ハウジングにリテーナを組み付ける前の状態を示す斜視図である。
【図９】図９は、図２のＡ−Ａ線断面図である。
【図１０】図１０は、１組の電線側コネクタと基板用コネクタとの嵌合状態を示す背面図である。
【図１１】図１１は、図１０のＣ−Ｃ線断面図である。
【図１２】図１２は、多極電線側コネクタと基板用コネクタとの嵌合状態を示す斜視図である。
【図１３】図１３は、多極電線側コネクタと基板用コネクタとの嵌合状態を示す背面図である。
【図１４】図１４は、多極電線側コネクタの斜視図である。
【図１５】図１５は、多極用ハウジングに大型リテーナを組み付ける前の状態を示す斜視図である。
【図１６】図１６は、図１３のＤ−Ｄ線断面図である。
【図１７】図１７は、実施形態２にかかる多極電線側コネクタと基板用コネクタとの嵌合状態を示す斜視図である。
【図１８】図１８は、多極電線側コネクタと基板用コネクタとの嵌合状態を示す側面図である。
【図１９】図１９は、多極電線側コネクタと基板用コネクタとの嵌合状態を示す断面図である。
【図２０】図２０は、多極電線側コネクタと基板用コネクタとの嵌合前の状態を示す側面図である。
【図２１】図２１は、基板用コネクタの斜視図である。
【図２２】図２２は、基板用コネクタの正面図である。
【図２３】図２３は、多極用ハウジングに大型リテーナを組み付ける前の状態を示す斜視図である。
【図２４】図２４は、多極用電線側コネクタの斜視図である。
【図２５】図２５は、多極用電線側コネクタの側面図である。
【図２６】図２６は、多極用電線側コネクタの正面図である。
【図２７】図２７は、図２６のＥ−Ｅ線で切断した断面図であって、大型リテーナが仮係止位置にある状態を示す断面図である。
【図２８】図２８は、図２６のＥ−Ｅ線で切断した断面図であって、大型リテーナが本係止位置にある状態を示す断面図である。
【図２９】図２９は、図２６のＦ−Ｆ線で切断した断面図であって、大型リテーナが仮係止位置にある状態を示す断面図である。
【図３０】図３０は、図２６のＦ−Ｆ線で切断した断面図であって、大型リテーナが本係止位置にある状態を示す断面図である。
【図３１】図３１は、図２５のＧ−Ｇ線で切断した断面図であって、大型リテーナが仮係止位置にある状態を示す断面図である。
【図３２】図３２は、図２５のＧ−Ｇ線で切断した断面図であって、大型リテーナが本係止位置にある状態を示す断面図である。
【発明を実施するための形態】
【００１０】
［本開示の実施形態の説明］
最初に本開示の実施形態を列挙して説明する。
【００１１】
（１）相手側コネクタと嵌合するコネクタであって、少なくとも１つの端子と、ハウジングと、リテーナと、を備え、前記ハウジングは、少なくとも１つの嵌合部と、露出部とを有しており、前記嵌合部は、前記相手側コネクタの内部に嵌合可能とされ、前記嵌合部には、前記端子を収容する端子収容部が形成されており、前記露出部は、前記嵌合部が前記相手側コネクタと嵌合した際に、前記相手側コネクタから露出するようになっており、前記リテーナは、被係止部と、係止突部とを有しており、前記被係止部は、前記露出部に組み付けられ、前記露出部に設けられた係止部と係止することによって前記リテーナを前記ハウジングに固定し、前記係止突部は、前記リテーナが前記ハウジングに固定された際には、前記端子収容部内に突出するように前記嵌合部に組み付けられ、前記端子を前記端子収容部内に抜け止めする。
【００１２】
リテーナをハウジングに固定する被係止部が、相手側コネクタと嵌合する部分から外れた露出部の周囲に配置される。つまり、嵌合部に対して被係止部を組み付ける必要がないから、嵌合部を小型化しつつ、リテーナによって端子を端子収容部内に抜け止めできる。
【００１３】
（２）前記リテーナは、前記端子が前記端子収容部内に進入することを許容する仮係止位置と、前記端子が前記端子収容部内に抜け止めされる本係止位置と、の間を移動可能とされ、前記リテーナは、前記被係止部を有する被係止片と、前記係止突部を有する係止部本体と、を備えて構成され、前記リテーナは、前記仮係止位置にあるときに前記係止突部が前記端子収容部から離間する方向に前記係止部本体が傾くことを抑制する傾き抑制部を有する。
【００１４】
リテーナが仮係止位置にある状態（以下「仮係止状態」という）において係止突部が端子収容部から離間する方向に係止部本体が傾いた場合、係止部本体の前端とハウジングの外面との間に隙間ができ、この隙間に相手側コネクタが進入することで仮係止状態であるにもかかわらずコネクタと相手側コネクタとの嵌合が許容されてしまう。そこで、仮係止状態における係止部本体の傾きを抑制する傾き抑制部を設けたから、仮係止状態においてコネクタと相手側コネクタとの嵌合が許容されないようにすることができる。
【００１５】
（３）少なくとも１つの前記コネクタと、前記相手側コネクタとを備えたコネクタ装置であって、前記相手側コネクタは、相手側ハウジングを備え、前記相手側ハウジングは、前記嵌合部が内部に嵌合される収容部を有しており、前記収容部は、前記嵌合部を囲む複数の壁部を有しており、前記被係止部は、前記嵌合部と前記収容部とが嵌合した際に、前記複数の壁部のうちの一の前記壁部と嵌合方向に並んで配置される。
【００１６】
嵌合部と収容部とが嵌合した際に、被係止部が、壁部の嵌合方向に生じるデッドスペースとなる部分に配置される。つまり、本来ならばデッドスペースとなる部分に被係止部が配置されるから、嵌合部を小型化しつつ、コネクタ装置が大型化することを抑制することができる。
【００１７】
（４）前記コネクタを複数有しており、前記収容部には、前記嵌合部が複数並んで嵌合される複数のキャビティが横並びに形成されており、隣り合う前記キャビティの間には、隣り合う前記嵌合部の間を仕切る隔壁が形成されており、隣り合う前記ハウジングにおける前記被係止部は、横方向に隣り合って配置されており、隣り合う前記被係止部は、前記隔壁と嵌合方向に並んで配置されている。
【００１８】
収容部に対して複数の嵌合部が嵌合される場合、例えば、嵌合部が僅かに大きくなるだけでも、嵌合部間の距離が大きくなり、収容部が大型化してしまう。
ところが、このような構成によると、嵌合部に対して被係止部を組み付ける必要がなく、嵌合部を小型化できる。これにより、嵌合部の間の距離を小さくでき、コネクタ装置を小型化できる。
【００１９】
また、複数のキャビティに嵌合部がそれぞれ嵌合した際に、隔壁の嵌合方向に生じる本来ならばデッドスペースとなる部分に隣り合う被係止部が配置される。したがって、例えば、被係止部をそれぞれ異なる位置に配置する場合に比べて、コネクタ装置の構成が複雑になることを抑制しつつ、コネクタ装置が大型化することを抑制することができる。
【００２０】
（５）前記嵌合部には、嵌合方向に延びる姿勢規制部が突出して形成されており、前記隔壁には、隣り合う前記嵌合部の前記姿勢規制部がそれぞれ収容される複数の受部が凹んで形成されており、前記隔壁におけるそれぞれの前記受部は、嵌合方向と交差する方向にずれて配置されている。
受部と姿勢規制部とが嵌合方向と交差する方向に係止して嵌合部の姿勢が交差する方向に傾くことを規制できる。
【００２１】
そして、姿勢規制部を収容する複数の受部が、隔壁において嵌合方向と交差する方向にずれた配置で凹んで形成されている。これにより、例えば、隔壁における複数の受部を横方向に並べて配置したり、受部を突出して形成したりする場合に比べて、嵌合部の間の距離を小さくすることができる。つまり、コネクタ装置を小型化できる。
【００２２】
［本開示の実施形態の詳細］
本開示のコネクタおよびコネクタ装置の具体例を、以下の図面を参照しつつ説明する。なお、本開示は、これらの例示に限定されるものではなく、特許請求の範囲によって示され、特許請求の範囲と均等の意味および範囲内でのすべての変更が含まれることが意図される。
【００２３】
＜実施形態１＞
本開示における実施形態１について図１から図１６を参照して説明する。
【００２４】
［コネクタ装置１０］
本実施形態のコネクタ装置１０は、図１および図２に示されるように、図示しない回路基板に固定される基板用コネクタ（「相手側コネクタ」の一例）２０と、複数のシールド電線Ｗの端部に接続されるコネクタ群５０とを備えている。
【００２５】
以下の説明において、前後方向とは、図１におけるＸ方向を基準として、基板用コネクタ２０とコネクタ群５０とが互いに嵌合する方向を前方とし、矢印Ｚの示す方向を上方、矢印Ｙの示す方向を左方として説明する。また、複数の同一部材については、一部の部材に符号を付し、他の部材については符号を省略する場合がある。
【００２６】
［基板用コネクタ２０］
基板用コネクタ２０は、図３に示されるように、複数の基板側内導体３６と、複数の基板側外導体３８と、基板用ハウジング（「相手側ハウジング」の一例）２１とを備えている。
【００２７】
［基板用ハウジング２１］
基板用ハウジング２１は、合成樹脂によって形成されている。基板用ハウジング２１は、収容部２２と、取付部２４とを備えている。
【００２８】
収容部２２は、図３に示されるように、上下左右に配置された複数の壁部２３によって左右方向に横長な角形状に形成されている。複数の壁部２３のうちの左右方向両側に配置された壁部２３は、取付部２４が固定された側壁２５とされている。
【００２９】
取付部２４は、金属板材をプレスなどによって加工して形成されている。取付部２４は、下端部がはんだ付けされることによって回路基板に固定される。これにより、基板用ハウジング２１が回路基板に固定される。
【００３０】
収容部２２の内部には、図３および図４に示されるように、前方に開口する複数のキャビティ２６が左右方向に１列に並んで形成されている。
【００３１】
本実施形態の収容部２２は、３つのキャビティ２６が、左右方向に１列に並んで形成されている。隣り合うキャビティ２６の間には、キャビティ２６の間を仕切る隔壁２７が形成されている。隔壁２７は、図３および図４に示されるように、収容部２２の前端部から後部に配置された奥壁２８まで前後方向に延びている。また、隔壁２７は、収容部２２の上側の壁部２３と収容部２２の下側の壁部２３とに連なる上下方向に延びた形態とされている。
【００３２】
収容部２２における側壁２５と隔壁２７とには、図３および図４に示されるように、キャビティ２６の内面から左右方向に凹状に窪んだ受部３０が形成されている。
【００３３】
隔壁２７の受部３０は、収容部２２の前端部から奥壁２８まで前後方向に延びた長尺受部３２とされている。長尺受部３２は、左右方向の深さ寸法が、隔壁２７の厚みの半分程度とされている。長尺受部３２の上側の内面は、長尺受部３２が窪んだ方向に向かうほど上方に傾斜する傾斜面３０Ｕとされている。
【００３４】
隔壁２７の長尺受部３２のうち中央のキャビティ２６側に配置された長尺受部３２は、隔壁２７の下部に配置されている。隔壁２７の長尺受部３２のうち外側のキャビティ２６側に配された長尺受部３２は、隔壁２７の上部に配置されている。したがって、それぞれの隔壁２７には、２つの長尺受部３２が上下方向にずれて形成されている。
【００３５】
側壁２５の受部３０は、収容部２２の前端部から前後方向に僅かに延びた短尺受部３４とされている。短尺受部３４は、側壁２５と左右方向に対向する隔壁２７の長尺受部３２と上下方向にずれて配置されている。短尺受部３４は、左右方向の深さ寸法が、長尺受部３２の深さ寸法と同一とされている。短尺受部３４の上側の内面は、短尺受部３４が窪んだ方向に向かうほど上方に傾斜する傾斜面３０Ｕとされている。
【００３６】
［基板側内導体３６］
基板側内導体３６は、導電性の金属板材を加工して形成されている。基板側内導体３６は、図３に示されるように、前後方向に延びるピン状の雄型接続部３７を有している。
【００３７】
［基板側外導体３８］
基板側外導体３８は、導電性の金属板材を加工して形成されている。基板側外導体３８は、雄型接続部３７を囲む円筒状をなす基板側筒部３９を有している。基板側筒部３９は、基板用ハウジング２１の奥壁２８に前後方向に貫通した状態で保持されている。
【００３８】
［コネクタ群５０］
コネクタ群５０は、図５から図１１に示されるように、複数のコネクタ（「コネクタ」の一例）６１を有する１組の電線側コネクタ６０と、図１２から図１６に示されるように、多極電線側コネクタ（「コネクタ」の一例）１００とを備えている。１組の電線側コネクタ６０と、多極電線側コネクタ１００とのいずれか一方が用途に応じて選択されて基板用コネクタ２０に嵌合される。
【００３９】
具体的には、例えば、シールド電線Ｗの配索のタイミングが異なる場合やシールド電線Ｗの配索経路が異なる場合、複数本のシールド電線Ｗを１つにまとめることが難しく、複数本のシールド電線Ｗを基板用コネクタ２０に接続することが難しい。このような場合、１組の電線側コネクタ６０は、それぞれのシールド電線Ｗに対して個別にコネクタ６１を取り付けて基板用コネクタ２０に嵌合させることができる。したがって、シールド電線Ｗの配索のタイミングが異なる場合やシールド電線Ｗの配索経路が異なる場合には、１組の電線側コネクタ６０を選択することによって、それぞれのシールド電線Ｗを基板用コネクタ２０に接続する接続作業性を向上させることができる。
【００４０】
一方、多極電線側コネクタ１００は、例えば、複数本のシールド電線Ｗの配索経路が共通するなど、複数本のシールド電線Ｗを基板用コネクタ２０に同時に接続する場合などに選択される。つまり、多極電線側コネクタ１００を選択することによって、複数本のシールド電線Ｗを一括して基板用コネクタ２０に接続できるから、接続作業性を向上させることができる。
【００４１】
すなわち、本実施形態によると、回路基板に接続される基板用コネクタ２０を１組の電線側コネクタ６０と、多極電線側コネクタ１００との共通の基板用コネクタ２０として設ける。そして、複数本のシールド電線Ｗの配索状況に応じて１組の電線側コネクタ６０と、多極電線側コネクタ１００とのいずれか一方を選択する。
【００４２】
つまり、回路基板側では、複数本のシールド電線Ｗの仕様が変更になる場合でも、１つの基板用コネクタ２０によって対応することができる。一方、シールド電線Ｗ側では、複数本のシールド電線Ｗの接続作業性に応じて１組の電線側コネクタ６０または多極電線側コネクタ１００を選択することができる。
以下に、１組の電線側コネクタ６０について、図５から図１１を参照しつつ、説明する。
【００４３】
［１組の電線側コネクタ６０］
１組の電線側コネクタ６０は、図５に示されるように、シールド電線Ｗの端末にそれぞれ接続される複数のコネクタ６１を有している。本実施形態における１組の電線側コネクタ６０は、３つのコネクタ６１を有しており、図５に示されるように、左から第１コネクタ６１Ａ、第２コネクタ６１Ｂ、第３コネクタ６１Ｃとされている。第１コネクタ６１Ａと、第２コネクタ６１Ｂと、第３コネクタ６１Ｃとは、図１に示されるように、左右方向に並んだ状態で収容部２２のそれぞれのキャビティ２６に嵌合される。
【００４４】
第１コネクタ６１Ａ、第２コネクタ６１Ｂおよび第３コネクタ６１Ｃは、図６に示されるように、後端部の下端部外面に設けられた指掛け部Ｔの形状と、後述する姿勢規制部７６の位置がそれぞれ異なるものの、指掛け部Ｔおよび姿勢規制部７６以外の構成は共通している。
【００４５】
第１コネクタ６１Ａの指掛け部Ｔは、図６に示されるように、第２コネクタ６１Ｂの指掛け部Ｔよりも左側に向けて張り出しており、第３コネクタ６１Ｃの指掛け部Ｔは、第２コネクタ６１Ｂの指掛け部Ｔよりも右側に張り出している。
【００４６】
第１コネクタ６１Ａ、第２コネクタ６１Ｂ、第３コネクタ６１Ｃにおいて共通している構成については、第１コネクタ６１Ａを代表して説明する。第２コネクタ６１Ｂおよび第３コネクタ６１Ｃにおける重複した説明は省略し、第２コネクタ６１Ｂおよび第３コネクタ６１Ｃにおいて、第１コネクタ６１Ａと共通する構成は、同じ符号を付す。
【００４７】
［第１コネクタ６１Ａ］
第１コネクタ６１Ａは、図７に示されるように、シールド電線Ｗの端末に接続される電線側内導体６２および電線側外導体（「端子」の一例）６５と、電線側内導体６２と電線側外導体６５との間に配置される誘電体６４と、電線側外導体６５を収容する電線側ハウジング（「ハウジング」の一例）７０と、電線側ハウジング７０に組み付けられるリテーナ９０と、を備えている。
【００４８】
［シールド電線Ｗ］
シールド電線Ｗは、図７に示されるように、芯線Ｗ１と、この芯線Ｗ１の外周を覆う絶縁性の内被覆Ｗ２と、内被覆Ｗ２の外周を覆う編組体Ｗ３と、編組体Ｗ３の外周を覆う外被覆Ｗ４とを備えている。
【００４９】
シールド電線Ｗの前端部では、内被覆Ｗ２、編組体Ｗ３および外被覆Ｗ４が皮剥ぎされることによって芯線Ｗ１が露出され、露出した芯線Ｗ１の後方において外被覆Ｗ４のみが皮剥ぎされて編組体Ｗ３が露出している。
【００５０】
［電線側内導体６２］
電線側内導体６２は、図７に示されるように、導電性の金属によって雌型の端子として形成されている。電線側内導体６２は、シールド電線Ｗにおいて露出した芯線Ｗ１に圧着されて電気的に接続されている。
【００５１】
［誘電体６４］
誘電体６４は、絶縁性の合成樹脂によって円筒状に形成されている。誘電体６４の内部には、電線側内導体６２を収容する内導体収容部６３が前後方向に貫通して形成されている。
【００５２】
［電線側外導体６５］
電線側外導体６５は、導電性の金属板材を加工して形成されている。電線側外導体６５は、図７に示されるように、円筒状の接続筒部６６と、接続筒部６６の後方に連なる圧着部６８とを有している。
【００５３】
接続筒部６６の上部には、上方に突出する突出部６７が形成されている。接続筒部６６には、隙間Ｓを有した状態で誘電体６４が収容可能とされている。接続筒部６６と誘電体６４との間の隙間Ｓには、基板用コネクタ２０とコネクタ６１とが嵌合する際に、基板側外導体３８が進入する。隙間Ｓに進入した基板側外導体３８と接続筒部６６とが接触することによって、基板側外導体３８と電線側外導体６５とが電気的に接続される。
【００５４】
圧着部６８は、シールド電線Ｗの編組体Ｗ３の外周に圧着されることにより、電線側外導体６５と編組体Ｗ３とを電気的に接続する。
【００５５】
［電線側ハウジング７０］
電線側ハウジング７０は、絶縁性の合成樹脂によって形成されている。電線側ハウジング７０は、図５に示されるように、前後方向に長い角筒状の嵌合部７２と、嵌合部７２の後端に連なる露出部８０とを有している。
【００５６】
［嵌合部７２］
嵌合部７２は、図１に示されるように、基板用コネクタ２０における収容部２２の左側のキャビティ２６に嵌合可能とされている。コネクタ６１の嵌合部７２は、左側のキャビティ２６に対応した形状とされている。したがって、コネクタ６１における嵌合部７２は、基板用コネクタ２０の左側のキャビティ２６に適合して嵌合される。
【００５７】
嵌合部７２の内部には、図７に示されるように、電線側外導体６５が後方から収容される外導体収容部（「端子収容部」の一例）７４が形成されている。外導体収容部７４の前端上部には、上下方向に弾性変位するランス７５が前方に向かうほど下方に突出した形態で形成されている。
【００５８】
ランス７５は、電線側外導体６５が外導体収容部７４内に収容されると、電線側外導体６５の突出部６７の後方に配置される。したがって、電線側外導体６５は、突出部６７とランス７５とが前後方向に係止することにより、外導体収容部７４内に抜け止めされる。
【００５９】
嵌合部７２の左右方向両側には、図６に示されるように、外方に突出する角形状の姿勢規制部７６が前後方向に延びて形成されている。姿勢規制部７６は、収容部２２の側壁２５および隔壁２７における受部３０と対応する位置に形成されている。側壁２５の短尺受部３４に対応する姿勢規制部７６は短尺規制部７６Ａとされ、隔壁２７の長尺受部３２に対応する姿勢規制部７６は、長尺規制部７６Ｂとされている。
【００６０】
それぞれの姿勢規制部７６は、嵌合部７２がキャビティ２６内に嵌合される過程において、対応するそれぞれの受部３０に嵌合する。受部３０に嵌合された姿勢規制部７６は、各コネクタ６１から引き出されるシールド電線Ｗが上下方向に振られた際に、受部３０の上下方向の内面と係止して嵌合部７２がキャビティ２６内において上下方向に傾くことを規制する。
【００６１】
嵌合部７２の下端部には、図７に示されるように、露出部８０と共通して設けられた装着凹部８２が形成されている。
装着凹部８２は、図７に示されるように、嵌合部７２の下端部と露出部８０の下端部とにわたって凹んで形成された第１装着凹部８３と、図８および図９に示されるように、露出部８０の左右方向両側の側部に凹んで形成された第２装着凹部８４とを備えている。
【００６２】
第１装着凹部８３は、図７に示されるように、嵌合部７２および露出部８０の下端部において前後方向に延びて形成されている。第１装着凹部８３の前端部には、嵌合部７２の外導体収容部７４に連通する装着孔７４Ａが形成されている。
【００６３】
［露出部８０］
露出部８０は、図８に示されるように、嵌合部７２よりも左右方向に大きい角筒状に形成されている。露出部８０は、嵌合部７２がキャビティ２６内に嵌合した際に、図１に示されるように、収容部２２から前後方向に突出して外部に露出する。
【００６４】
露出部８０における第２装着凹部８４は、図８に示されるように、露出部８０の左右方向の側部において第１装着凹部８３と連なって形成されている。第２装着凹部８４における左右方向の側面には、側方に向かって突出する仮係止部８６と、仮係止部８６の上方において側方に向かって突出する本係止部（「係止部」の一例）８７とがそれぞれ形成されている。
【００６５】
［リテーナ９０］
リテーナ９０は、図８に示されるように、絶縁性の合成樹脂によって電線側ハウジング７０と別体に形成されている。
【００６６】
リテーナ９０は、電線側ハウジング７０の装着凹部８２に下方から装着可能とされている。リテーナ９０は、第１装着凹部８３に装着される係止部本体９１と、第２装着凹部８４に装着される一対の被係止片（「被係止部」の一例）９２とを備えている。
【００６７】
一対の被係止片９２は、係止部本体９１の後端部における左右方向両側縁から上方に延びて形成されている。それぞれの被係止片９２は、係止部本体９１との境界部分を支点に左右方向に弾性変位可能とされている。被係止片９２の上縁部には、第２装着凹部８４の仮係止部８６および本係止部８７と上下方向に係止可能な被係止突起９３が形成されている。
【００６８】
被係止突起９３は、被係止片９２の後端縁に設けられた上下方向に延びる補強部９２Ａに連なるように被係止片９２の上縁において前後方向に延びて形成されている。
【００６９】
被係止突起９３は、被係止片９２が左右方向に弾性変位することにより、仮係止部８６および本係止部８７を乗り越えて仮係止部８６および本係止部８７と上下方向に係止可能となる。したがって、被係止突起９３は、仮係止部８６と本係止部８７との間において本係止部８７または仮係止部８６と上下方向に係止することにより、リテーナ９０が装着凹部８２から下方に突出した仮係止位置に保持する。また、被係止突起９３は、図９に示されるように、本係止部８７の上方において本係止部８７と上下方向に係止することにより、リテーナ９０が装着凹部８２に装着された本係止位置に保持する。
【００７０】
係止部本体９１は、図７および図８に示されるように、第１装着凹部８３に対して下方から装着可能な前後方向に長い形態とされている。係止部本体９１の前端部には、上方に向かって突出する係止突部９４が形成されている。係止突部９４は、前面上部に角部を有するブロック状に形成されている。
【００７１】
係止突部９４は、リテーナ９０が仮係止位置に保持された状態では、外導体収容部７４の外側に配置されている。リテーナ９０が装着凹部８２に装着された本係止位置に配置されると、図７に示されるように、係止突部９４は、外導体収容部７４内に突出して、外導体収容部７４内に収容された電線側外導体６５の接続筒部６６の後方に配置される。つまり、電線側外導体６５は外導体収容部７４内において、ランス７５とリテーナ９０とによって二重に抜け止めされる。
【００７２】
また、リテーナ９０が装着凹部８２に装着された本係止位置に保持されると、図７および図９に示されるように、係止部本体９１が嵌合部７２および露出部８０の下端部の外面を構成し、一対の被係止片９２が露出部８０の左右方向両側の外側面を構成する。
【００７３】
したがって、それぞれのコネクタ６１の嵌合部７２が基板用コネクタ２０の収容部２２に左右方向に並んで嵌合されると、図９および図１０に示されるように、第１コネクタ６１Ａのリテーナ９０における右側の被係止片９２と第２コネクタ６１Ｂの左側の被係止片９２とが左右方向に隣り合った状態となる。また、第３コネクタ６１Ｃの左側の被係止片９２と第２コネクタ６１Ｂの右側の被係止片９２とが左右方向に隣り合った状態となる。また、左右方向に隣り合った２つの被係止片９２は、図１１に示されるように、収容部２２の隔壁２７と前後方向に並んだ配置となる。
【００７４】
つまり、隣り合うコネクタ６１の間において、隔壁２７の前方に生じる本来ならばデッドスペースとなる位置に、左右方向に隣り合う２つの被係止片９２が配置されるようになっている。
【００７５】
また、図１１に示されるように、第１コネクタ６１Ａにおける左側の被係止片９２が収容部２２の側壁２５と前後方向に並んだ配置となる共に、第３コネクタ６１Ｃの右側の被係止片９２が収容部２２の側壁２５と前後方向に並んだ配置となる。
【００７６】
つまり、第１コネクタ６１Ａおよび第３コネクタ６１Ｃの側方において、側壁２５の前方に生じる本来ならばデッドスペースとなる位置に、第１コネクタ６１Ａおよび第３コネクタ６１Ｃの一方の被係止片９２が配置されるようになっている。
【００７７】
そして、隣り合った２つの被係止片９２の間の間隔は、被係止突起９３が仮係止部８６および本係止部８７を乗り越える際に、被係止片９２が弾性変位する変位量よりも小さくなっている。つまり、３つのコネクタ６１と基板用コネクタ２０とが嵌合した状態では、リテーナ９０が容易に電線側ハウジング７０から脱落しないようになっている。
【００７８】
次に、多極電線側コネクタ１００について図１２から図１６を参照しつつ、説明する。
【００７９】
［多極電線側コネクタ１００］
多極電線側コネクタ１００は、図１２および図１３に示されるように、複数本のシールド電線Ｗの端末に接続される左右方向に長い形態とされている。本実施形態における多極電線側コネクタ１００は、３本のシールド電線Ｗの端末に接続されている。
【００８０】
多極電線側コネクタ１００は、それぞれのシールド電線Ｗの端末に接続される電線側内導体６２および電線側外導体６５と、電線側内導体６２と電線側外導体６５との間に配置される誘電体６４と、複数の電線側外導体６５を収容する多極用ハウジング（「ハウジング」の一例）１７０と、多極用ハウジング１７０に組み付けられる大型リテーナ（「リテーナ」の一例）１９０と、を備えている。なお、電線側内導体６２、電線側外導体６５、誘電体６４、およびシールド電線Ｗは、第１コネクタ６１Ａと構成が共通するため、同一の符号を付して、説明を省略する。
【００８１】
［多極用ハウジング１７０］
多極用ハウジング１７０は、絶縁性の合成樹脂によって形成されている。多極用ハウジング１７０は、図１４に示されるように、基板用コネクタ２０の収容部２２に一括して嵌合される複数の嵌合部７２と、複数の嵌合部７２の後端に連なる大型露出部１８０とを有している。本実施形態の多極用ハウジング１７０は、３つの嵌合部７２の後端に大型露出部１８０が連なっている。
【００８２】
３つの嵌合部７２のうち、左側の嵌合部７２の構成は第１コネクタ６１Ａの嵌合部７２と共通し、中央部の嵌合部７２の構成は第２コネクタ６１Ｂの嵌合部７２と共通する。また、右側の嵌合部７２の構成は第３コネクタ６１Ｃの嵌合部７２と共通しているため、嵌合部７２の説明は省略する。
【００８３】
大型露出部１８０は、図１４および図１５に示されるように、３つの嵌合部７２が配置された範囲よりも左右方向に大きい角筒状に形成されている。大型露出部１８０は、３つの嵌合部７２がそれぞれのキャビティ２６内に嵌合した際に、図１２に示されるように、収容部２２から突出して露出するようになっている。
【００８４】
多極用ハウジング１７０には、図１４に示されるように、３つの嵌合部７２と大型露出部１８０とにわたって設けられた大型装着凹部１８２が形成されている。
【００８５】
大型装着凹部１８２は、それぞれの嵌合部７２の下端部と大型露出部１８０の下端部とにわたって凹んで形成された第１大型装着凹部１８３と、大型露出部１８０の左右方向両側の側部に凹んで形成された第２装着凹部８４とを備えている。第２装着凹部８４は、コネクタ６１の第２装着凹部８４と構成が共通するため、説明を省略する。
【００８６】
第１大型装着凹部１８３は、それぞれの嵌合部７２の下端部において前後方向に延びると共に、大型露出部１８０の下端部において左右方向に延びた形態とされている。
【００８７】
第１大型装着凹部１８３において嵌合部７２と対応する部分の前端位置には、図７に示す実施形態１の装着孔７４Ａと同様に、嵌合部７２の外導体収容部７４に連通する装着孔７４Ａがそれぞれ形成されている。
【００８８】
［大型リテーナ１９０］
大型リテーナ１９０は、図１５に示されるように、絶縁性の合成樹脂によって多極用ハウジング１７０と別体に形成されている。
【００８９】
大型リテーナ１９０は、多極用ハウジング１７０の大型装着凹部１８２に下方から装着可能とされている。大型リテーナ１９０は、第１大型装着凹部１８３に装着される大型本体部１９１と、第２装着凹部８４にそれぞれ装着される一対の被係止片９２とを備えている。一対の被係止片９２の構成は、リテーナ９０における被係止片９２の構成と共通するため、説明を省略する。
【００９０】
大型本体部１９１は、それぞれの嵌合部７２に対応する３つの係止部本体９１と、隣り合う係止部本体９１を左右方向に繋ぐ２つの連結部１９６とを備えている。係止部本体９１は、リテーナ９０における係止部本体９１の構成と共通するため、説明を省略する。
【００９１】
大型本体部１９１は、大型リテーナ１９０が大型装着凹部１８２に装着された本係止位置に保持されると、図１４に示されるように、それぞれの嵌合部７２および大型露出部１８０の下端部の外面を構成する。また、一対の被係止片９２は、大型露出部１８０の左右方向両側の外側面を構成する。
【００９２】
したがって、３つの嵌合部７２が基板用コネクタ２０の収容部２２に左右方向に並んで嵌合されると、図１６に示されるように、一対の被係止片９２は、収容部２２の側壁２５と前後方向に並んだ配置となる。
【００９３】
つまり、多極電線側コネクタ１００の側方において、側壁２５の前方に生じる本来ならばデッドスペースとなる位置に、大型リテーナ１９０の一方の被係止片９２が配置されるようになっている。
【００９４】
本実施形態は、以上のような構成であって、続いて、コネクタ装置１０の作用および効果について説明する。
【００９５】
例えば、基板用コネクタの収容部内に嵌合される嵌合部を備えた電線側コネクタにおいて、嵌合部にリテーナを係止させる場合、嵌合部の係止部とリテーナの被係止部との係止代を確保すると、嵌合部が大型化してしまう。嵌合部が大型化すると、嵌合部が嵌合される基板用コネクタも大型化してしまう。
【００９６】
そこで、本発明者らは、上記の課題を解決するため、鋭意検討を行った結果、本実施形態の構成を見出した。
【００９７】
すなわち、本実施形態は、基板用コネクタ２０（相手側コネクタ）と嵌合する１組の電線側コネクタ６０または多極電線側コネクタ（コネクタ）１００であって、少なくとも１つの電線側外導体（端子）６５と、電線側ハウジング７０または多極用ハウジング（ハウジング）１７０と、リテーナ９０または大型リテーナ（リテーナ）１９０と、を備える。
【００９８】
電線側ハウジング７０または多極用ハウジング１７０は、少なくとも１つの嵌合部７２と、露出部８０または大型露出部１８０とを有しており、嵌合部７２は、基板用コネクタ２０の内部に嵌合可能とされ、嵌合部７２には、電線側外導体６５を収容する外導体収容部（端子収容部）７４が形成されており、露出部８０または大型露出部１８０は、嵌合部７２が基板用コネクタ２０と嵌合した際に、基板用コネクタ２０から露出するようになっている。
【００９９】
リテーナ９０または大型リテーナ１９０は、一対の被係止片（被係止部）９２と、少なくとも１つの係止突部９４とを有しており、一対の被係止片９２は、露出部８０または大型露出部１８０に設けられた本係止部（係止部）８７と係止することによってリテーナ９０または大型リテーナ１９０を電線側ハウジング７０または多極用ハウジング１７０に固定する。係止突部９４は、リテーナ９０または大型リテーナ１９０が電線側ハウジング７０または多極用ハウジング１７０に固定された際には、外導体収容部７４内に突出するように嵌合部７２に組み付けられ、電線側外導体６５を外導体収容部７４内に抜け止めする。
【０１００】
リテーナ９０または大型リテーナ１９０を電線側ハウジング７０または多極用ハウジング１７０に固定する一対の被係止片９２が、図９、図１１および図１６に示されるように、基板用コネクタ２０と嵌合する部分から外れた露出部８０または大型露出部１８０の周囲に配置される。
【０１０１】
つまり、嵌合部７２に対して一対の被係止片９２を組み付ける必要がないから、嵌合部７２を小型化しつつ、リテーナ９０もしくは大型リテーナ１９０によって電線側外導体６５を外導体収容部７４内に抜け止めできる。
【０１０２】
１組の電線側コネクタ６０または多極電線側コネクタ（コネクタ）１００と、基板用コネクタ２０とを備えたコネクタ装置１０であって、基板用コネクタ２０は、基板用ハウジング（相手側ハウジング）２１を備え、基板用ハウジング２１は、嵌合部７２が内部に嵌合される収容部２２を有しており、収容部２２は、嵌合部７２を囲む複数の壁部２３を有しており、被係止片９２は、嵌合部７２と収容部２２とが嵌合した際に、複数の壁部２３のうちの側壁２５と嵌合方向に並んで配置される。
【０１０３】
嵌合部７２と収容部２２とが嵌合した際に、被係止片９２が、側壁２５の嵌合方向の前側に生じる本来ならばデッドスペースとなる部分に配置される。
【０１０４】
つまり、本来ならばデッドスペースとなる部分に被係止片９２が配置されるから、例えば、デッドスペースとならない位置に被係止片を配置する場合に比べて、コネクタ装置１０が大型化することを抑制することができる。
【０１０５】
コネクタ６１を複数有しており、収容部２２には、嵌合部７２が複数並んで嵌合される複数のキャビティ２６が横並びに形成されており、隣り合うキャビティ２６の間には、隣り合う嵌合部７２の間を仕切る隔壁２７が形成されており、隣り合う電線側ハウジング７０における被係止片９２は、横方向に隣り合って配置されており、隣り合う被係止片９２は、隔壁２７と嵌合方向に並んで配置されている。
【０１０６】
収容部２２に対して複数の嵌合部７２が嵌合される場合、例えば、嵌合部が僅かに大きくなるだけでも、嵌合部間の距離が大きくなり、収容部が大型化してしまう。
【０１０７】
ところが、本実施形態によると、嵌合部７２に対して被係止片９２を組み付ける必要がなく、嵌合部７２を小型化できる。これにより、嵌合部７２の間の距離を小さくでき、コネクタ装置１０を小型化できる。
【０１０８】
また、複数のキャビティ２６に嵌合部７２がそれぞれ嵌合した際に、隔壁２７の嵌合方向前側に生じる本来ならばデッドスペースとなる部分に、隣り合う被係止片９２が配置される。したがって、例えば、被係止片をそれぞれ異なる位置に配置する場合に比べて、コネクタ装置１０の構成が複雑になることを抑制しつつ、コネクタ装置１０が大型化することを抑制することができる。
【０１０９】
嵌合部７２には、嵌合方向に延びる姿勢規制部７６が突出して形成されており、隔壁２７には、隣り合う嵌合部７２の姿勢規制部７６がそれぞれ収容される複数の受部３０が凹んで形成されており、隔壁２７におけるそれぞれの受部３０は、上下方向（嵌合方向と交差する方向）にずれて配置されている。
【０１１０】
受部３０と姿勢規制部７６とが上下方向に係止して嵌合部７２の姿勢が上下方向に傾くことを規制できる。
そして、姿勢規制部７６を収容する複数の受部３０が、隔壁２７において上下方向にずれた配置で凹んで形成されている。これにより、例えば、隔壁における複数の受部を横方向に並べて配置したり、受部を突出して形成したりする場合に比べて、嵌合部７２の間の距離を小さくすることができる。つまり、コネクタ装置１０を小型化できる。
＜実施形態２＞
本開示における実施形態２について図１７から図３２を参照して説明する。
【０１１１】
［コネクタ装置２１０］
本実施形態のコネクタ装置２１０は、図１７から図１９に示されるように、図示しない回路基板に固定される基板用コネクタ（「相手側コネクタ」の一例）２２０と、基板用コネクタ２２０に嵌合可能な多極電線側コネクタ（「コネクタ」の一例）３００とを備えている。以下の説明において、実施形態１と重複する説明については省略する場合がある。
【０１１２】
［基板用コネクタ２２０］
基板用コネクタ２２０は、図２１および図２２に示されるように、複数の基板側内導体２３６と、複数の基板側外導体２３８と、基板用ハウジング（「相手側ハウジング」の一例）２２１とを備えている。
【０１１３】
［基板用ハウジング２２１］
基板用ハウジング２２１は、合成樹脂によって形成されている。基板用ハウジング２２１は、収容部２２２と、取付部２２４とを備えている。
【０１１４】
収容部２２２は、図２２に示されるように、上下左右に配置された複数の壁部２２３によって左右方向に横長な角形状に形成されている。複数の壁部２２３のうちの左右方向両側に配置された壁部２２３は、取付部２２４が固定された側壁２２５とされている。複数の壁部２２３のうちの上側に配置された壁部２２３には、図１９に示されるように、基板側ロック２２７が設けられている。
【０１１５】
取付部２２４は、金属板材をプレスなどによって加工して形成されている。取付部２２４は、下端部がはんだ付けされることによって回路基板に固定される。これにより、基板用ハウジング２２１が回路基板に固定される。
【０１１６】
収容部２２２の内部には、図２１および図２２に示されるように、前方に開口する１つのキャビティ２２６が形成されている。実施形態１とは異なり、収容部２２２の内部には、キャビティ間を仕切る隔壁が形成されていない。
【０１１７】
収容部２２２における側壁２２５には、図２１および図２２に示されるように、キャビティ２２６の内面から左右方向に凹状に窪んだ受部２３０が形成されている。
【０１１８】
側壁２２５の受部２３０は、収容部２２２の前端部から前後方向に僅かに延びた短尺の受部２３０とされている。受部２３０の上側の内面は、受部２３０が窪んだ方向に向かうほど上方に傾斜する傾斜面２３０Ｕとされている。
【０１１９】
［基板側内導体２３６］
基板側内導体２３６は、導電性の金属板材を加工して形成されている。基板側内導体２３６は、図１９および図２２に示されるように、前後方向に延びるピン状の雄型接続部２３７を有している。
【０１２０】
［基板側外導体２３８］
基板側外導体２３８は、導電性の金属板材を加工して形成されている。基板側外導体２３８は、雄型接続部２３７を囲む円筒状をなす基板側筒部２３９を有している。基板側筒部２３９は、基板用ハウジング２２１の奥壁２２８に前後方向に貫通した状態で保持されている。
【０１２１】
［多極電線側コネクタ３００］
多極電線側コネクタ３００は、図１７に示されるように、複数本のシールド電線Ｗの端末に接続される左右方向に長い形態とされている。本実施形態における多極電線側コネクタ３００は、４本のシールド電線Ｗの端末に接続されている。
【０１２２】
多極電線側コネクタ３００は、それぞれのシールド電線Ｗの端末に接続される電線側内導体３６２および電線側外導体３６５と、電線側内導体３６２と電線側外導体３６５との間に配置される誘電体３６４と、複数の電線側外導体３６５を収容する多極用ハウジング（「ハウジング」の一例）３７０と、多極用ハウジング３７０に組み付けられる大型リテーナ（「リテーナ」の一例）３９０とを備えている。なお、シールド電線Ｗは、実施形態１と構成が共通するため、同一の符号を付して、説明を省略する。
【０１２３】
［電線側内導体３６２］
電線側内導体３６２は、図１９に示されるように、導電性の金属によって雌型の端子として形成されている。電線側内導体３６２は、シールド電線Ｗにおいて露出した芯線Ｗ１に圧着されて電気的に接続されている。
【０１２４】
［誘電体３６４］
誘電体３６４は、絶縁性の合成樹脂によって円筒状に形成されている。誘電体３６４の内部には、電線側内導体３６２を収容する内導体収容部３６３が前後方向に貫通して形成されている。
【０１２５】
［電線側外導体３６５］
電線側外導体３６５は、導電性の金属板材を加工して形成されている。電線側外導体３６５は、図１９に示されるように、円筒状の接続筒部３６６と、接続筒部３６６の後方に連なる圧着部３６８とを有している。
【０１２６】
接続筒部３６６の上下両側には、密着曲げにより側方に突出する一対の突出部３６７が形成されている。接続筒部３６６には、隙間Ｓを有した状態で誘電体３６４が収容可能とされている。接続筒部３６６と誘電体３６４との間の隙間Ｓには、基板用コネクタ２２０と多極電線側コネクタ３００とが嵌合する際に、基板側外導体２３８が進入する。隙間Ｓに進入した基板側外導体２３８と接続筒部３６６とが接触することによって、基板側外導体２３８と電線側外導体３６５とが電気的に接続される。
【０１２７】
圧着部３６８は、シールド電線Ｗの編組体Ｗ３の外周に圧着されることにより、電線側外導体３６５と編組体Ｗ３とを電気的に接続する。
【０１２８】
［多極用ハウジング３７０］
多極用ハウジング３７０は、絶縁性の合成樹脂によって形成されている。多極用ハウジング３７０は、図２４に示されるように、基板用コネクタ２２０の収容部２２２の内部に嵌合される嵌合部３７２と、嵌合部３７２の後端に連なる大型露出部３８０とを有している。
【０１２９】
［嵌合部３７２］
嵌合部３７２は、図１９に示されるように、基板用コネクタ２２０における収容部２２２のキャビティ２２６に嵌合可能とされている。多極用ハウジング３７０の上面には、電線側ロック３７１が設けられている。電線側ロック３７１が基板側ロック２２７に前後方向に係止することにより、多極用ハウジング３７０の嵌合部３７２が基板用ハウジング２２１の収容部２２２内に嵌合した状態に保持される。電線側ロック３７１には解除操作部３７３が設けられており、解除操作部３７３が下方に押されることで電線側ロック３７１と基板側ロック２２７の係止状態が解除されて、嵌合部３７２を収容部２２２内から離脱できるようになっている。
【０１３０】
嵌合部３７２の内部には、図２９に示されるように、電線側外導体３６５が後方から収容される外導体収容部（「端子収容部」の一例）３７４が形成されている。外導体収容部３７４は、複数の外導体収容部３７４を個別に収容可能に複数設けられている。外導体収容部３７４の上部には、上下方向に弾性変位するランス３７５が前方に向かうほど下方に突出した形態で形成されている。
【０１３１】
ランス３７５は、電線側外導体３６５が外導体収容部３７４内に収容されると、接続筒部３６６の上側に配された突出部３６７の後方に配置される。したがって、電線側外導体３６５は、上側の突出部３６７とランス３７５とが前後方向に係止することにより、外導体収容部３７４内に抜け止めされる。
【０１３２】
嵌合部３７２の左右方向両側には、図２６に示されるように、外方に突出する角形状の姿勢規制部３７６が前後方向に延びて形成されている。姿勢規制部３７６は、図２２に示す収容部２２２の一対の受部２３０と対応する位置に一対設けられている。
【０１３３】
それぞれの姿勢規制部３７６は、嵌合部３７２がキャビティ２２６に嵌合される過程において、対応するそれぞれの受部２３０に嵌合する。受部２３０に嵌合された姿勢規制部３７６は、多極電線側コネクタ３００から引き出されるシールド電線Ｗが上下方向に振られた際に、受部２３０の上下方向の内面と係止して嵌合部３７２がキャビティ２２６において上下方向に傾くことを規制する。
【０１３４】
多極用ハウジング３７０の下面には、図２９、図３１に示されるように、大型装着凹部３８２が形成されている。大型装着凹部３８２は、嵌合部３７２の下端部と大型露出部３８０の下端部とにわたって凹んで形成された第１装着凹部３８３と、図２３に示されるように、大型露出部３８０の左右方向両側の側部に凹んで形成された一対の第２装着凹部３８４とを備えている。
【０１３５】
第１装着凹部３８３は、図２９、図３１に示されるように、嵌合部３７２の下端部および大型露出部３８０の下端部において前後方向に延びて形成されている。第１装着凹部３８３の前端部には、嵌合部３７２の外導体収容部３７４に連通する装着孔３７４Ａが形成されている。
【０１３６】
［大型露出部３８０］
大型露出部３８０は、図２４に示されるように、嵌合部３７２が配置された範囲よりも左右方向に大きい角筒状に形成されている。大型露出部３８０は、嵌合部３７２が収容部２２２の内部に嵌合した際に、図１７および図１８に示されるように、収容部２２２の内部から前後方向に突出して外部に露出するようになっている。
【０１３７】
大型露出部３８０における第２装着凹部３８４は、図２３に示されるように、大型露出部３８０の左右方向の側部において第１装着凹部３８３と連なって形成されている。第２装着凹部３８４における左右方向の側面には、側方に向かって突出する仮係止部３８６と、仮係止部３８６の上方において側方に向かって突出する本係止部（「係止部」の一例）３８７とがそれぞれ形成されている。
【０１３８】
［大型リテーナ３９０］
大型リテーナ３９０は、図２３に示されるように、絶縁性の合成樹脂によって形成され、多極用ハウジング３７０と別体に形成されている。
【０１３９】
大型リテーナ３９０は、多極用ハウジング３７０の大型装着凹部３８２に下方から装着可能とされている。大型リテーナ３９０は、第１装着凹部３８３に装着される係止部本体３９１と、一対の第２装着凹部３８４に装着される一対の被係止片３９２とを備えている。
【０１４０】
一対の被係止片３９２は、係止部本体３９１の後端部における左右方向両側縁から上方に延びて形成されている。それぞれの被係止片３９２は、係止部本体３９１との境界部分を支点に左右方向に弾性変位可能とされている。被係止片３９２の上縁部には、第２装着凹部３８４の仮係止部３８６および本係止部３８７と上下方向に係止可能な被係止突起（「被係止部」の一例）３９３が形成されている。
【０１４１】
被係止突起３９３は、被係止片３９２の前端縁に設けられた上下方向に延びる補強部３９２Ａに連なるように被係止片３９２の上縁において前後方向に延びて形成されている。
【０１４２】
被係止突起３９３は、被係止片３９２が左右方向に弾性変位することにより、仮係止部３８６および本係止部３８７を乗り越えて仮係止部３８６および本係止部３８７と上下方向に係止可能となる。したがって、被係止突起３９３は、仮係止部３８６と本係止部３８７との間において本係止部３８７または仮係止部３８６と上下方向に係止することにより、大型リテーナ３９０の係止部本体３９１が大型装着凹部３８２から下方に突出した仮係止位置に保持する。また、被係止突起３９３は、本係止部３８７の上方において本係止部３８７と上下方向に係止することにより、大型リテーナ３９０が大型装着凹部３８２に装着された本係止位置に保持する。大型リテーナ３９０は、本係止位置では係止部本体３９１の下面と多極用ハウジング３７０の下面とが面一をなすように配される。
【０１４３】
係止部本体３９１は、図３０に示されるように、図２７に示す第１装着凹部３８３に対して下方から装着可能な前後方向に長い形態とされている。係止部本体３９１の前端部には、上方に向かって突出する係止突部３９４が形成されている。係止突部３９４は、前面上部に角部を有するブロック状に形成されている。また、係止突部３９４は、図２６に示されるように、外導体収容部３７４の中心から側方にずれた位置に配されている。
【０１４４】
係止突部３９４は、大型リテーナ３９０が仮係止位置に保持された状態（以下「仮係止状態」という場合がある）では、図２９に示されるように、外導体収容部３７４の外側に配置されている。大型リテーナ３９０が本係止位置に保持された状態（以下「本係止状態」という場合がある）では、図３０に示されるように、係止突部３９４は、外導体収容部３７４内に突出して、接続筒部３６６の下側に配された突出部３６７の後方に配置される。したがって、電線側外導体３６５は、下側の突出部３６７と係止突部３９４とが前後方向に係止することにより、外導体収容部３７４内に抜け止めされる。つまり、電線側外導体３６５は外導体収容部３７４内において、ランス３７５と大型リテーナ３９０とによって二重に抜け止めされる。
【０１４５】
また、本係止状態では、図２６および図３０に示されるように、係止部本体３９１が嵌合部３７２および大型露出部３８０の下面を構成し、一対の被係止片３９２が大型露出部３８０の左右方向両側の外側面を構成する。
【０１４６】
また、図１９に示されるように、多極電線側コネクタ３００における一対の被係止片３９２が収容部２２２の一対の側壁２２５と前後方向に並んだ配置となる。つまり、多極電線側コネクタ３００の側方において、側壁２２５の前方に生じる本来ならばデッドスペースとなる位置に、一対の被係止片３９２が配置されるようになっている。
【０１４７】
係止部本体３９１の前端縁には、図２３に示されるように、前方に向かって張り出した張出片３９５が形成されている。張出片３９５には、突起（「傾き抑制部」の一例）３９６が上方に突出して設けられている。突起３９６は、複数設けられており、図２６に示されるように、隣り合う一対の外導体収容部３７４の間に位置している。各突起３９６は、隣り合う一対の外導体収容部３７４の間において各係止突部３９４に隣り合うように配されている。
【０１４８】
隣り合う一対の外導体収容部３７４は、図２６に示されるように、隔壁３７７によって区画されている。隔壁３７７の後端下部には、図２７に示されるように、突起３９６が内部に収容される突起収容部３７８が設けられている。突起収容部３７８は下方に開口する形態をなし、自身の前側部分を構成する前壁３７８Ｆと、自身の後側部分を構成する後壁３７８Ｒとを有している。
【０１４９】
仮係止状態では、突起３９６が突起収容部３７８内から離脱しているものの、装着孔３７４Ａの前縁に当接しているため、係止部本体３９１が斜め下方に傾くことで係止部本体３９１の前端と多極用ハウジング３７０の下面との間に隙間が形成されることを抑制できる。これにより、仮係止状態において基板用コネクタ２２０と多極電線側コネクタ３００の嵌合が許容される事態を防ぐことができる。一方、本係止状態では、図２８に示されるように、突起３９６が突起収容部３７８内に嵌合しており、突起収容部３７８の前壁３７８Ｆと後壁３７８Ｒの双方に当接しているため、大型リテーナ３９０が大型装着凹部３８２内において前後方向にがたつくことを抑制できる。
【０１５０】
＜他の実施形態＞
（１）上記実施形態１では、収容部２２に３つのキャビティ２６が形成された構成にした。しかしながら、これに限らず、収容部におけるキャビティの数は、２つにしてもよく、４つ以上にしてもよい。
【０１５１】
（２）上記実施形態１と２では、相手側コネクタを基板用コネクタ２０として構成した。しかしながら、これに限らず、相手側コネクタは、電線の端末に接続されるコネクタであってもよい。
（３）上記実施形態１と２では、電線側内導体６２、３６２、誘電体６４、電線側外導体６５、３６５を備え、リテーナ９０または大型リテーナ１９０、３９０が電線側外導体６５、３６５を抜け止めするコネクタ６１または多極電線側コネクタ１００、３００を例示した。しかしながら、これに限らず、雌端子または雄端子を備え、リテーナが雌端子または雄端子を抜け止めするコネクタに本開示の技術を適用してもよい。
（４）上記実施形態２では、仮係止状態において突起３９６が装着孔３７４Ａの前縁に当接することで係止部本体３９１が下方に傾くことを抑制しているものの、突起が突起収容部の前壁に当接することで係止部本体の傾きを抑制してもよい。
【符号の説明】
【０１５２】
１０：コネクタ装置
２０：基板用コネクタ（「相手側コネクタ」の一例）  ２１：基板用ハウジング（「相手側ハウジング」の一例）  ２２：収容部  ２３：壁部  ２４：取付部  ２５：側壁  ２６：キャビティ  ２７：隔壁  ２８：奥壁  ３０：受部  ３０Ｕ：傾斜面  ３２：長尺受部  ３４：短尺受部  ３６：基板側内導体  ３７：雄型接続部  ３８：基板側外導体  ３９：基板側筒部
５０：コネクタ群  ６０：電線側コネクタ  ６１：コネクタ（「コネクタ」の一例）  ６１Ａ：第１コネクタ  ６１Ｂ：第２コネクタ  ６１Ｃ：第３コネクタ  ６２：電線側内導体  ６３：内導体収容部  ６４：誘電体  ６５：電線側外導体（「端子」の一例）  ６６：接続筒部  ６７：突出部  ６８：圧着部  ７０：電線側ハウジング（「ハウジング」の一例）  ７２：嵌合部  ７４：外導体収容部（「端子収容部」の一例）  ７４Ａ：装着孔  ７５：ランス  ７６：姿勢規制部  ７６Ａ：短尺規制部  ７６Ｂ：長尺規制部  ８０：露出部  ８２：装着凹部  ８３：第１装着凹部  ８４：第２装着凹部  ８６：仮係止部  ８７：本係止部（「係止部」の一例）  ９０：リテーナ  ９１：係止部本体  ９２：被係止片（「被係止部」の一例）  ９２Ａ：補強部  ９３：被係止突起  ９４：係止突部
１００：多極電線側コネクタ（「コネクタ」の一例）  １７０：多極用ハウジング（「ハウジング」の一例）  １８０：大型露出部  １８２：大型装着凹部  １８３：第１大型装着凹部  １９０：大型リテーナ（「リテーナ」の一例）  １９１：大型本体部  １９６：連結部
２１０：コネクタ装置
２２０：基板用コネクタ（「相手側コネクタ」の一例）  ２２１：基板用ハウジング（「相手側ハウジング」の一例）  ２２２：収容部  ２２３：壁部  ２２４：取付部  ２２５：側壁  ２２６：キャビティ  ２２７：基板側ロック  ２２８：奥壁  ２３０：受部  ２３０Ｕ：傾斜面  ２３６：基板側内導体  ２３７：雄型接続部  ２３８：基板側外導体  ２３９：基板側筒部
３００：多極電線側コネクタ（「コネクタ」の一例）  ３６２：電線側内導体  ３６３：内導体収容部  ３６４：誘電体  ３６５：電線側外導体（「端子」の一例）  ３６６：接続筒部  ３６７：突出部  ３６８：圧着部  ３７０：多極用ハウジング（「ハウジング」の一例）  ３７１：電線側ロック  ３７２：嵌合部  ３７３：解除操作部  ３７４：外導体収容部（「端子収容部」の一例）  ３７５：ランス  ３７６：姿勢規制部  ３７７：隔壁  ３７８：突起収容部  ３７８Ｆ：前壁  ３７８Ｒ：後壁  ３８０：大型露出部  ３８２：大型装着凹部  ３８３：第１装着凹部  ３８４：第２装着凹部  ３８６：仮係止部  ３８７：本係止部（「係止部」の一例）  ３９０：大型リテーナ（「リテーナ」の一例）  ３９１：係止部本体  ３９２：被係止片（「被係止部」の一例）  ３９２Ａ：補強部  ３９３：被係止突起（「被係止部」の一例）  ３９４：係止突部  ３９５：張出片  ３９６：突起（「傾き抑制部」の一例）
Ｓ：隙間  Ｔ：指掛け部  Ｗ１：芯線  Ｗ２：内被覆  Ｗ３：編組体  Ｗ４：外被覆  Ｗ：シールド電線
【図１】
2020167156.tif 000003
【図２】
2020167156.tif 000004
【図３】
2020167156.tif 000005
【図４】
2020167156.tif 000006
【図５】
2020167156.tif 000007
【図６】
2020167156.tif 000008
【図７】
2020167156.tif 000009
【図８】
2020167156.tif 000010
【図９】
2020167156.tif 000011
【図１０】
2020167156.tif 000012
【図１１】
2020167156.tif 000013
【図１２】
2020167156.tif 000014
【図１３】
2020167156.tif 000015
【図１４】
2020167156.tif 000016
【図１５】
2020167156.tif 000017
【図１６】
2020167156.tif 000018
【図１７】
2020167156.tif 000019
【図１８】
2020167156.tif 000020
【図１９】
2020167156.tif 000021
【図２０】
2020167156.tif 000022
【図２１】
2020167156.tif 000023
【図２２】
2020167156.tif 000024
【図２３】
2020167156.tif 000025
【図２４】
2020167156.tif 000026
【図２５】
2020167156.tif 000027
【図２６】
2020167156.tif 000028
【図２７】
2020167156.tif 000029
【図２８】
2020167156.tif 000030
【図２９】
2020167156.tif 000031
【図３０】
2020167156.tif 000032
【図３１】
2020167156.tif 000033
【図３２】
2020167156.tif 000034